(57)【要約】【課題】ユーザの要望に応じて背景の立体的形状を変形し、その立体的な背景を用いて撮影を行うことができる写真撮影プリント装置を提供する。【解決手段】写真撮影プリント装置１は、被写体を撮影するカメラ１１と、カメラ１１により被写体を撮影するときの背景となる壁面１８ａを構成するための壁面構成部１８とを含んでいる。壁面構成部１８の壁面１８ａは、ユーザの操作に基づいて立体形状が変形し、かつ、変形された立体形状を保持できる。壁面構成部１８は、少なくとも先端面が壁面１８ａを構成できるように配置され、かつ、長手方向の位置が個別に変更可能に設けられている複数の柱状部材を備えており、各柱状部材の長手方向の位置が個別に変更されることにより、壁面１８ａの立体形状の変形が可能となる。【選択図】　図１
2004061885.tif 000002
【特許請求の範囲】
【請求項１】
被写体を撮影する撮影手段と、前記撮影手段により前記被写体を撮影するときの背景となる壁面を構成するための壁面構成手段とを含む写真撮影装置において、
前記壁面構成手段は、ユーザの操作に基づいて立体形状が変形し、かつ、変形された立体形状を保持できる壁面を有することを特徴とする写真撮影装置。
【請求項２】
前記壁面構成手段は、少なくとも先端面が前記壁面を構成できるように配置され、かつ、長手方向の位置が個別に変更可能に設けられている複数の柱状部材を備えており、
前記各柱状部材の長手方向の位置が個別に変更されることにより、前記壁面の立体形状の変形が可能であることを特徴とする請求項１に記載の写真撮影装置。
【請求項３】
前記各柱状部材は、外力によって移動することで長手方向の位置が変更可能に設けられていることを特徴とする請求項２に記載の写真撮影装置。
【請求項４】
前記壁面構成手段は、前記各柱状部材を長手方向に移動させる移動手段を備え、
前記各柱状部材の長手方向の位置を定めるためのユーザからの入力を受け付ける入力受付手段と、
前記入力受付手段にて受け付けた入力に基づいて、前記移動手段による前記各柱状部材の長手方向の移動を制御する制御手段と、
を備えることを特徴とする請求項２に記載の写真撮影装置。
【請求項５】
前記入力受付手段は、前記各柱状部材の位置又は移動量の入力を受け付け、
前記制御手段は、前記入力受付手段にて受け付けた入力に基づいて、前記移動手段による前記各柱状部材の長手方向の移動を制御することを特徴とする請求項４に記載の写真撮影装置。
【請求項６】
前記各柱状部材の長手方向の位置の組合せを複数通り記憶する記憶手段を備え、
前記入力受付手段は、前記複数通りの組合せから１つの組合せを選択するための入力を受け付け、
前記制御手段は、前記入力受付手段にて受け付けた入力により選択された組合せに基づいて、前記移動手段による前記各柱状部材の長手方向の移動を制御することを特徴とする請求項４に記載の写真撮影装置。
【請求項７】
前記壁面構成手段は、前記各柱状部材を長手方向に移動させる移動手段を備え、
物体を撮影して画像データを生成する画像データ生成手段と、
前記物体の形状を前記壁面に反映すべく、前記画像データ生成手段の生成した画像データに基づいて、前記移動手段による前記各柱状部材の長手方向の移動を制御する制御手段と、
を備えることを特徴とする請求項２に記載の写真撮影装置。
【請求項８】
前記壁面構成手段は、前記壁面を構成する第１面を有する、立体的に変形可能な面状部材と、
前記面状部材における前記第１面とは反対の面である第２面に対向し、かつ、前記第２面とは離間して配置され、前記第２面が接触することにより当該接触部分において前記第２面と接合して前記面状部材の変形を保持可能な保持部材と、を備えることを特徴とする請求項１に記載の写真撮影装置。
【請求項９】
請求項１から８の何れか１項に記載の写真撮影装置と、
前記撮影手段にて撮影した撮影画像を含む画像をプリント紙にプリントするプリント手段とを備えることを特徴とする写真撮影プリント装置。
【請求項１０】
請求項９に記載の写真撮影プリント装置に用いられるプリント紙ユニットであって、
画像がプリントされるプリント紙と、前記プリント紙に関する識別情報を記録する識別媒体とを備え、
前記写真撮影プリント装置に備えられた識別情報読み取り手段によって、前記識別媒体に記録されている識別情報が読み取られ、その内容が確認された上で前記プリント手段により前記プリント紙に画像がプリントされることを特徴とするプリント紙ユニット。
【請求項１１】
請求項４又は５に記載の写真撮影装置の制御方法において、
前記入力受付手段により、前記各柱状部材の長手方向の位置を定めるためのユーザからの入力を受け付ける入力受付ステップと、
前記制御手段により、前記入力受付手段にて受け付けた入力に基づいて、前記移動手段による前記各柱状部材の長手方向の移動を制御する移動制御ステップと、
を含むことを特徴とする写真撮影装置の制御方法。
【発明の詳細な説明】
【０００１】
【発明の属する技術分野】
本発明は、被写体を撮影するとともに、被写体を撮影する際の背景を構成する部材を備えた写真撮影装置、その写真撮影装置を備えた写真撮影プリント装置などに関するものである。
【０００２】
【従来の技術】
近年、例えばプリント倶楽部（登録商標）の名称で知られる写真撮影プリント装置が人気を呼んでいる。この写真撮影プリント装置には、白地や青地のカーテンを背景にして撮影を行い、撮影した画像からクロマキーと呼ばれる画像抽出技術により、例えば人物領域を抽出し、予め装置内に蓄積された電子背景データと合成して合成画像を作成するようなものがある。
【０００３】
また、写真撮影プリント装置には、背景として多種の絵柄を印刷したカーテンを交換可能に配置し、ユーザがカーテンを希望位置に引き出し、また、そのカーテンをユーザが自信に絡ませるなどして撮影できるようにしたカーテン機能を有するものもある。さらに、カーテン機能として、カーテンレールを楕円状の閉じたレールで構成し、カーテンの選択のしやすさ、カーテンの裏面絵柄の活用を想定してものもある。
【０００４】
【発明が解決しようとする課題】
ところが、従来の写真撮影プリント装置においては、背景となるカーテンを手動又は自動で取り替えて撮影する、背景となるカーテンをユーザに絡ませて撮影する、均一背景での撮影結果を電子背景と合成するなどのバリエーションにとどまっており、背景を立体的に構成し、ユーザの要望に応じて背景の立体的な形状を変形し、その立体的な背景を用いて撮影を行うといった発想はなかった。
【０００５】
本発明は、この点に着目してなされたものであり、その目的は、ユーザの要望に応じて背景の立体的形状を変形し、その立体的な背景を用いて撮影を行うことができる写真撮影装置、その写真撮影装置を備えた写真撮影プリント装置などを提供することにある。
【０００６】
【課題を解決するための手段】
本発明の請求項１に記載の写真撮影装置は、被写体を撮影する撮影手段と、前記撮影手段により前記被写体を撮影するときの背景となる壁面を構成するための壁面構成手段とを含む写真撮影装置であって、上記の課題を解決するために、前記壁面構成手段は、ユーザの操作に基づいて立体形状が変形し、かつ、変形された立体形状を保持できる壁面を有することを特徴としている。
【０００７】
上記の構成では、壁面構成手段を備えることにより、撮影手段による撮影の背景となる壁面の立体形状をユーザの操作に基づいて変形することができ、さらに変形された立体形状を壁面構成手段自体で保持することができる。
【０００８】
これにより、ユーザは、撮影前に壁面の立体形状を好みの形状に設定しておいて撮影することで、ユーザの設定した立体形状を有する背景を用いて撮影することができる。
【０００９】
したがって、上記の構成では、立体形状を好みの形状に設定した背景を用いた撮影による、立体感のある背景を有する画像の撮影が可能になる。また、この写真撮影装置を、例えばプリント倶楽部（登録商標）の名称で知られる写真撮影プリント装置に用いることにより、撮影前に背景の立体形状を好みの形状に設定するという新たな遊びの形態を提供することができるようになる。
【００１０】
その結果、得られる撮影画像の多様性、操作の娯楽性を向上させることができ、ユーザの満足度の向上を図ることができるようになる。
【００１１】
本発明の請求項２に記載の写真撮影装置は、請求項１に記載の写真撮影装置において、前記壁面構成手段は、少なくとも先端面が前記壁面を構成できるように配置され、かつ、長手方向の位置が個別に変更可能に設けられている複数の柱状部材を備えており、前記各柱状部材の長手方向の位置が個別に変更されることにより、前記壁面の立体形状の変形が可能である。
【００１２】
上記の構成では、壁面構成手段が複数の柱状部材を備えている。この柱状部材は、円柱、三角柱、四角柱、多角柱などの様々な形状のものを利用できる。
【００１３】
この柱状部材は、少なくとも先端面が壁面を構成できるように配置されている。この先端面は平面や曲面、あるいは円錐、三角錐、四角錐、多角錘などの錘面であってもよい。また、柱状部材の配置としては、例えば、各柱状部材の先端面を撮影手段側に向け、各先端面がマトリクスの交点に位置するような配置が考えられる。
【００１４】
また、各柱状部材は、長手方向の位置が個別に変更可能に設けられており、この位置を個別に変更することにより壁面の立体形状の変形が可能になっている。したがって、各柱状部材の先端面により形成される凹凸により壁面の立体形状を形成することができる。
【００１５】
これにより、比較的簡単な構成で壁面の立体形状の変形を実現することができる。
【００１６】
本発明の請求項３に記載の写真撮影装置は、請求項２に記載の写真撮影装置において、前記各柱状部材は、外力によって移動することで長手方向の位置が変更可能に設けられていてもよい。
【００１７】
上記の構成では、ユーザが柱状部材を引き出したり、押し込んだりすることによって柱状部材の長手方向の位置を容易に変更することができる。また、上記の構成では、ユーザが実際に壁面に触れて壁面の立体形状を変形することができる。
【００１８】
本発明の請求項４に記載の写真撮影装置は、請求項２に記載の写真撮影装置において、前記壁面構成手段は、前記各柱状部材を長手方向に移動させる移動手段を備え、前記各柱状部材の長手方向の位置を定めるためのユーザからの入力を受け付ける入力受付手段と、前記入力受付手段にて受け付けた入力に基づいて、前記移動手段による前記各柱状部材の長手方向の移動を制御する制御手段と、を備えていてもよい。
【００１９】
上記の構成では、入力受付手段により受け付けたユーザの入力に基づいて制御手段により移動手段を制御し、柱状部材を長手方向に移動させることができる。これにより、柱状部材の長手方向の移動による壁面の立体形状の変形を自動化することができる。また、この写真撮影装置を、例えばプリント倶楽部（登録商標）の名称で知られる写真撮影プリント装置に用いる場合には、上記の構成により、落書き感覚の操作によって壁面の立体形状の変形を行うことができるようになり、操作の娯楽性を向上させることができる。
【００２０】
本発明の請求項５に記載の写真撮影装置は、請求項４に記載の写真撮影装置において、前記入力受付手段は、前記各柱状部材の位置又は移動量の入力を受け付け、前記制御手段は、前記入力受付手段にて受け付けた入力に基づいて、前記移動手段による前記各柱状部材の長手方向の移動を制御してもよい。
【００２１】
上記の構成では、ユーザが各柱状部材の位置又は移動量を入力することにより、その入力値に応じた壁面の立体形状を実現することができる。
【００２２】
なお、本発明の請求項１１に記載の写真撮影装置の制御方法は、請求項４又は５に記載の写真撮影装置の制御方法であって、前記入力受付手段により、前記各柱状部材の長手方向の位置を定めるためのユーザからの入力を受け付ける入力受付ステップと、前記制御手段により、前記入力受付手段にて受け付けた入力に基づいて、前記移動手段による前記各柱状部材の長手方向の移動を制御する移動制御ステップと、を含んで構成することができる。
【００２３】
本発明の請求項６に記載の写真撮影装置は、請求項４に記載の写真撮影装置において、前記各柱状部材の長手方向の位置の組合せを複数通り記憶する記憶手段を備え、前記入力受付手段は、前記複数通りの組合せから１つの組合せを選択するための入力を受け付け、前記制御手段は、前記入力受付手段にて受け付けた入力により選択された組合せに基づいて、前記移動手段による前記各柱状部材の長手方向の移動を制御してもよい。
【００２４】
上記の構成では、記憶手段が、各柱状部材の長手方向の位置の組合せを複数通り記憶している。この各組合せは、壁面の１つの立体形状に対応している。したがって、予め設定した壁面の立体形状を上記組合せとして記憶しておくことができるようになる。このため、ユーザは、上記複数通りの組合せの中から１つの組合せを選択することによって、容易に、予め設定されている壁面の立体形状を実現することができる。
【００２５】
本発明の請求項７に記載の写真撮影装置は、請求項２に記載の写真撮影装置において、前記壁面構成手段は、前記各柱状部材を長手方向に移動させる移動手段を備え、物体を撮影して画像データを生成する画像データ生成手段と、前記物体の形状を前記壁面に反映すべく、前記画像データ生成手段の生成した画像データに基づいて、前記移動手段による前記各柱状部材の長手方向の移動を制御する制御手段と、を備えていてもよい。
【００２６】
上記の構成では、画像データ生成手段にて物体を撮影して画像データを生成し、生成した画像データに基づいて制御手段により移動手段を制御し、柱状部材を長手方向に移動させることで、上記物体の形状を壁面に反映させることができる。これにより、例えばユーザの顔やユーザの持ち込んだぬいぐるみなどの形状を壁面に反映させることができるようになり、壁面の多様な形状を形成することができる。
【００２７】
本発明の請求項８に記載の写真撮影装置は、請求項１に記載の写真撮影装置において、前記壁面構成手段は、前記壁面を構成する第１面を有する、立体的に変形可能な面状部材と、前記面状部材における前記第１面とは反対の面である第２面に対向し、かつ、前記第２面とは離間して配置され、前記第２面が接触することにより当該接触部分において前記第２面と接合して前記面状部材の変形を保持可能な保持部材と、を備えていてもよい。
【００２８】
上記の構成では、面状部材を第１面側から押すなどすることにより、面状部材が立体的に変形し、面状部材の第２面が保持部材と接触することにより、その接触部分において第２面と保持部材とが接合されて、面状部材の変形が保持される。これにより、比較的簡単な構成で壁面の立体形状の変形を実現することができる。
【００２９】
また、上記の構成では、面状部材を殴る、蹴るといったユーザの動作によっても壁面の立体形状の変形が可能になる。これにより、壁面の立体形状を変形させるためのユーザによる操作を多様化することができ、娯楽性を向上させることができる。
【００３０】
本発明の請求項９に記載の写真撮影プリント装置は、請求項１から８の何れか１項に記載の写真撮影装置と、前記撮影手段にて撮影した撮影画像を含む画像をプリント紙にプリントするプリント手段とを備えることを特徴としている。このように、上記写真撮影装置にプリント手段を備えることによって写真撮影プリント装置を構成することができる。
【００３１】
本発明の請求項１０に記載のプリント紙ユニットは、請求項９に記載の写真撮影プリント装置に用いられるプリント紙ユニットであって、画像がプリントされるプリント紙と、前記プリント紙に関する識別情報を記録する識別媒体とを備え、前記写真撮影プリント装置に備えられた識別情報読み取り手段によって、前記識別媒体に記録されている識別情報が読み取られ、その内容が確認された上で前記プリント手段により前記プリント紙に画像がプリントされることを特徴としている。
【００３２】
上記の構成によれば、識別情報読み取り手段で読み取った識別情報に基づいて、装着されたプリント紙が、当該写真撮影プリント装置において利用可能なものであるかを判定し、利用可能である場合にのみプリント手段を動作可能とすることが可能となる。すなわち、写真撮影プリント装置において指定されているプリント紙以外は使用できないように設定することが可能となる。
【００３３】
また、識別情報に用紙枚数情報を含ませることによって、プリント紙を使用するごとに用紙枚数をカウントダウンすることにより、残りの用紙枚数を把握することが可能となる。よって、残りの用紙枚数が少なくなってきた際に、これを表示手段などによって警告するような構成としておけば、ユーザの利用中に用紙切れを起こすというような不具合を回避することが可能となる。
【００３４】
また、識別情報に用紙種類情報を含ませることによって、これらを考慮して画像データの色成分などを補正することにより、その用紙やインクフィルムに的確な画像出力を行うことが可能となる。
【００３５】
【発明の実施の形態】
〔実施形態１〕
本発明の第１の実施形態について図１から図７に基づいて説明すれば、以下の通りである。
【００３６】
図１は、本実施形態の写真撮影プリント装置１の外観を示す図面であり、図１（ａ）は写真撮影プリント装置１を上方からみた図面、図１（ｂ）は写真撮影プリント装置１の背面を示す図面、図１（ｃ）は写真撮影プリント装置１の側面を示す図面、図１（ｄ）は写真撮影プリント装置１の撮影室内の正面を示す図面である。
【００３７】
なお、ここでは、写真撮影プリント装置１として、プリント倶楽部（登録商標）の名称で知られる装置を想定している。写真撮影プリント装置１は、本体２と、撮影室３とに大別される。
【００３８】
本体２の撮影室３側の面（正面）には、被写体としてのユーザ及びその背景を撮影するためのカメラ１１（撮影手段）、被写体や背景を照明するための前面照明装置１２・１２、ユーザに対する写真撮影プリント装置１の操作情報を表示する撮影画面用ディスプレイ１３、ユーザからの入力を受け付ける撮影画面用入力スイッチ１９などが備えられている。
【００３９】
なお、カメラ１１は、様々な方向から被写体及び背景を撮影できるように、取り付け位置や角度が調節できるようになっている。また、カメラ１１には、カメラ１１にて撮影した撮影画像を表示する液晶モニタ１１ａ（図３参照）が備えられている。
【００４０】
また、ここでは撮影画面用ディスプレイ１３と撮影画面用入力スイッチ１９とが別々の構成である場合を想定しているが、撮影画面用ディスプレイ１３に撮影画面用入力スイッチの機能をもたせたタッチパネル一体型ディスプレイとしてもよい。
【００４１】
本体２の撮影室３とは反対の面（背面）には、撮影室３内でのカメラ１１による撮影後に、その撮影画像に対してユーザが落書きを行うための落書面１４・１４が備えられている。落書面１４・１４は撮影画像を表示し、ユーザは、落書面１４・１４に表示された撮影画像に対して、図示しないペンなどによって落書きを施すことができる。なお、落書面１４・１４はタッチパネルと一体型に構成されており、上記ペンなどによる入力を受け付けることができるものである。
【００４２】
本体２における撮影室３への一方の出入口付近の面（側面）には、写真撮影プリント装置１の利用料金の支払いを受け付けるコイン投入部１５、写真撮影プリント装置１によって撮影した画像をプリントした写真シールを排出してユーザに提供するための写真シール排出口１６などが備えられている。
【００４３】
撮影室３は、その内部にユーザが入って写真撮影プリント装置１を操作するとともに、カメラ１１によって被写体であるユーザ及びその背景の写真撮影を行うための撮影空間を構成している。撮影室３は、幕１７を備えており、この幕１７と本体２とによって外部と仕切られた空間が撮影空間となる。
【００４４】
撮影室３には、カメラ１１により被写体としてのユーザを撮影するときの背景となる壁面１８ａを構成するための壁面構成部１８（壁面構成手段、背景形状変更手段）が備えられている。ここで、この壁面構成部１８について図２に基づいて説明する。
【００４５】
図２は、壁面構成部１８の機能を説明するための図面であり、図２（ａ）は図１（ａ）に、図２（ｂ）は図１（ｃ）にそれぞれ対応する図面であって、図２（ｃ）はカメラ１１からみた撮影室３を示す図面である。
【００４６】
壁面構成部１８は、被写体としてのユーザの背景となる位置、つまり、ユーザを介してカメラ１１と対向する位置に備えられている。この壁面構成部１８の壁面１８ａは、本体２の正面に対向し、本体２の正面とほぼ平行な面となっている。
【００４７】
壁面構成部１８は、ユーザの操作に基づいて立体形状が変形し、かつ、変形された立体形状を保持できる壁面１８ａを有している。より具体的には、壁面構成部１８は、少なくとも先端面Ｅが壁面１８ａを構成できるように配置され、かつ、長手方向ｄの位置が個別に変更可能に設けられている多数の柱状部材１８ｂ…を備えている。そして、各柱状部材１８ｂの長手方向ｄの位置が個別に変更されることにより、壁面１８ａの立体形状（凹凸形状）の変形が可能となっている。このように、壁面１８ａの立体形状とは、壁面１８ａにより立体的に表現される形状を指す。
【００４８】
柱状部材１８ｂ…の配置は、それぞれの先端面Ｅをカメラ１１に向け、各先端面Ｅがマトリクスの交点に位置するような配置となっている。つまり、柱状部材１８ｂ…は、それぞれの先端面Ｅが、本体２の正面に対向し、本体２の正面とほぼ平行に行列状に配列するように配置されている。
【００４９】
各柱状部材１８ｂは、円柱、三角柱、四角柱、多角柱などの様々な形状のものを利用できるが、ここでは、先端面Ｅが正方形（例えば、１辺の長さが１０ｃｍ程度）である四角柱としている。先端面Ｅが四角形であることにより、先端面Ｅにより背景をほぼ隙間なく埋め尽くすことができる。また、先端面Ｅが正方形であることにより、先端面Ｅの凹凸により表現される立体形状における縦の解像度と横の解像度とを等しくすることができる。各柱状部材１８ｂの先端面Ｅは、平面や曲面、あるいは円錐、三角錐、四角錐、多角錘などの錘面であってもよい。
【００５０】
したがって、壁面構成部１８は、イメージとして、針の高さが自由に変更できる剣山のようなものであり、針の間隔で定まる解像度で立体形状が表現可能なものである。
【００５１】
なお、柱状部材１８ｂ…の一部又は全部に発光機能をもたせることにより、壁面１８ａが発光するようにすることで、発光する背景を構成するようにしてもよい。
【００５２】
壁面構成部１８は、各柱状部材１８ｂを長手方向ｄに移動させる駆動部１８ｃ（移動手段）を備えている。駆動部１８ｃは、後述するように、撮影画面用入力スイッチ１９（入力受付手段）にて受け付けた入力に基づく制御装置２１（制御手段）による制御によって、各柱状部材１８ｂの長手方向ｄを移動させる。駆動部１８ｃは、空気圧シリンダや油圧シリンダなど、一軸方向に移動可能な手段を、柱状部材１８ｂ…に１対１に対応させて設けることにより実現することができる。これにより、柱状部材１８ｂ…の長手方向ｄの移動による壁面１８ａの立体形状の変形を自動化することができる。
【００５３】
次に、写真撮影プリント装置１の制御系について図３に基づいて説明する。図３は、写真撮影プリント装置１の制御系のブロック構成を示すブロック図である。なお、すでに説明した構成に関してはその説明で用いた符号を付記し、一部のものについては説明を省略する。
【００５４】
本体２内部には、写真撮影プリント装置１の各部を制御する制御装置２１が設けられている。制御装置２１は、写真撮影プリント装置１の各部の動作を統括的に制御するものである。この制御装置２１は、例えばパーソナルコンピュータ（パソコン）などのコンピュータによって構成される。そして、各種構成の動作制御は、制御プログラムを制御装置２１に実行させることによって行われる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置２１がインターネットなどの通信ネットワークに接続された構成とする場合、この通信ネットワークを介して上記プログラムをダウンロードしてハードディスクなどにインストールして実行する形態なども考えられる。
【００５５】
記憶装置２２は、上記したハードディスクなどの不揮発性の記憶装置によって構成されるものである。図３では、記憶装置２２を制御装置２１とは別に図示しているが、制御装置２１に含まれていてもよい。この記憶装置２２に記憶される内容としては、上記した制御プログラム、ＯＳ（Ｏｐｅｒａｔｉｎｇ　Ｓｙｓｔｅｍ）プログラム、及びその他各種プログラム、カメラ１１における動作設定値、撮影環境の設定値、撮影した画像及び編集した画像の画像データなどが挙げられる。
【００５６】
課金処理部２３は、コイン投入部１５を介してユーザから徴収するコインに基づく課金に関する処理を行う。この課金処理部２３による課金状況に応じて、制御装置２１が該当ユーザに対する写真撮影プリント装置１の動作を制御する。
【００５７】
電源装置２４は、制御装置２１、その他写真撮影プリント装置１の各部に対して電力を供給する。
【００５８】
ＩＤタグリーダ／ライタ２５（識別情報読み取り手段）は、ＩＤタグ２６（識別媒体）に記録されている各種識別情報を読み出して制御装置２１に出力する。ＩＤタグ２６は、メモリ機能を有するＩＣチップなどによって構成されるものである。上記識別情報としては、固有ＩＤ、シール紙Ｓの枚数、シール紙Ｓの種類、及びインク固有の色情報（インクフィルム（図示せず）がセットとなっている場合）などが挙げられる。
【００５９】
制御装置２１は、ＩＤタグリーダ／ライタ２５で読み取った識別情報に基づいて、装着されたシール紙Ｓ及びインクフィルムが、当該写真撮影プリント装置１において利用可能なものであるかを判定し、利用可能である場合にのみプリンタ２７を動作可能とする。すなわち、写真撮影プリント装置１において指定されているシール紙Ｓ及びインクフィルム以外は使用できないように設定されていることになる。なお、ＩＤタグ２６及びシール紙Ｓ（プリント紙）を含んでプリント紙ユニットが構成される。
【００６０】
また、ＩＤタグ２６に記録されているシール紙Ｓの枚数情報に基づいて、シール紙Ｓを使用するごとに枚数をカウントダウンしていくことによって、残りの枚数を把握することが可能となる。よって、残りの枚数が少なくなってきた際に、これを警告するような構成としておけば、ユーザの利用中にシール紙切れを起こすというような不具合を回避することが可能となる。なお、枚数をカウントダウンする際には、ＩＤタグ２６に記録されているシール紙Ｓの枚数情報も書き換えるようにする。これにより、シール紙Ｓを使い切った場合には、ＩＤタグ２６に記録されている枚数情報も０となり、このＩＤタグ２６を無効にすることが可能となる。
【００６１】
ＩＤタグ２６としては、無線によりデータ通信を行うことが可能な非接触型ＩＤタグと、端子が設けられた接触型ＩＤタグとがあり、ＩＤタグリーダ／ライタ２５としては、これらのどちらか一方あるいは両方に対応したものとなる。
【００６２】
ＩＤタグリーダ／ライタ２５及びプリンタ２７を含んでプリント装置が構成されており、このプリント装置に対して、プリントすべき画像の出力媒体となるシール紙Ｓ、及びＩＤタグ２６が１組となってセットされるようになっている。
【００６３】
プリンタ２７（プリント手段）は、カメラ１１で撮影された画像や、さらにこの画像に落書きが施された画像等の出力すべきプリント画像データが制御装置２１から送られてくると、そのプリント画像データに基づく画像をシール紙Ｓにプリントするものである。シール紙Ｓとしては、剥離紙をはがすことによりシールとして貼り付けられるものがよく用いられる。なお、シール紙Ｓの代わりに、シール状ではない通常の用紙を用いてもよい。
【００６４】
なお、ここではＩＤタグリーダ／ライタ２５やプリンタ２７を含めた写真撮影プリント装置１について説明しているが、これらを備えない単なる写真撮影装置も本発明の技術的範囲に含まれる。
【００６５】
ユーザの操作により、各柱状部材１８ｂの長手方向ｄの位置を個別に変更し、壁面１８ａの立体形状を変形させる場合の各部の動作について説明する。まず、制御装置２１は、記憶装置２２に記憶されている情報に基づいて撮影画面用ディスプレイ１３に壁面構成部１８の操作情報（背景操作情報）を表示する。ユーザは、撮影画面用ディスプレイ１３に表示された背景操作情報に基づいて、撮影画面用入力スイッチ１９（入力受付手段）により各柱状部材１８ｂの長手方向ｄの位置を定めるための操作入力（背景操作入力）を行う。制御装置２１（制御手段）は、撮影画面用入力スイッチ１９にて受け付けた背景操作入力に基づいて、駆動部１８ｃによる各柱状部材１８ｂの長手方向ｄの移動を制御する。
【００６６】
図４は、背景操作情報を表示しているときの撮影画面用ディスプレイ１３での表示内容を示す図面である。この表示には、柱状部材１８ｂ…を実際の配置に則して平面的に表示する平面表示領域１３ａ、壁面１８ａの立体形状を３次元的に表示する３次元表示領域１３ｂ、背景操作入力を受け付ける制限時間をカウントダウン表示する制限時間表示領域１３ｃ、指定した柱状部材１８ｂの位置を初期値に戻すための「消しゴム」ボタン１３ｄ、１回前の操作を取り消すための「やりなおし」ボタン１３ｅ、全てを初期状態に戻すための「はじめからやりなおし」ボタン１３ｆ、指定した柱状部材１８ｂを引き出すための「引っ張る」ボタン１３ｇ、指定した柱状部材１８ｂを押し込めるための「へこます」ボタン１３ｈ、及び背景操作を終了するための「終了」ボタン１３ｉが含まれている。３次元表示領域１３ｂの表示は、カメラ１１などによって壁面構成部１８を撮影した画像又は映像であってもよい。
【００６７】
なお、図４に示した撮影画面用ディスプレイ１３の表示に基づいて撮影画面用入力スイッチ１９により入力を行う場合には、撮影画面用入力スイッチ１９に含まれる「矢印スイッチ」をユーザが押すことによりカーソル（図示せず）を移動させて撮影画面用ディスプレイ１３に表示されているボタン等を選択し、撮影画面用入力スイッチ１９に含まれている「決定スイッチ」をユーザが押すことにより選択されたボタンが押されることになる。なお、撮影画面用ディスプレイ１３がタッチパネル一体型ディスプレイである場合には、撮影画面用ディスプレイ１３の表示面を直接押すことで表示されているボタンを押すことができる。
【００６８】
ある柱状部材１８ｂを本体２側に引き出したい場合には、ユーザは、「引っ張る」ボタン１３ｇを押し、続いて対象となる柱状部材１８ｂの平面表示領域１３ａでの位置を押す。これにより、対象となった柱状部材１８ｂが所定の単位移動量だけ本体２側に移動する。なお、さらに対象となった柱状部材１８ｂを移動させたい場合には、対象となる柱状部材１８ｂの平面表示領域１３ａでの位置を複数回押せばよい。ここでは、撮影画面用入力スイッチ１９により各柱状部材１８ｂの移動量を入力するようになっているが、各柱状部材１８ｂの長手方向ｄの位置（座標）を直接指定して入力できるようになっていてもよい。
【００６９】
また、移動した柱状部材１８ｂに対応する平面表示領域１３ａの部分は、初期状態の位置を示す表示（図４では片側斜線）より突出したことを示す表示（図４では両側斜線）に変化する。つまり、平面表示領域１３ａでは、柱状部材１８ｂ…の長手方向ｄの位置を表示色や表示階調に対応付けて表示する。また、３次元表示領域１３ｂの表示にも柱状部材１８ｂ…の移動が反映される。
【００７０】
逆に、ある柱状部材１８ｂを押し込めたい場合には、ユーザは、「へこます」ボタン１３ｈを押し、続いて対象となる柱状部材１８ｂの平面表示領域１３ａでの位置を押す。これにより、対象となった柱状部材１８ｂが単位移動量分本体２側とは反対側に移動し、平面表示領域１３ａや３次元表示領域１３ｂの表示に反映される。
【００７１】
このように、撮影画面用入力スイッチ１９は、各柱状部材１８ｂの移動量又は位置の入力を受け付け、制御装置２１は、撮影画面用入力スイッチ１９にて受け付けた入力に基づいて、駆動部１８ｃによる各柱状部材１８ｂの長手方向ｄの移動を制御する。これにより、ユーザが各柱状部材１８ｂの移動量又は位置を入力することにより、その入力値に応じた壁面１８ａの立体形状を実現することができる。このように、写真撮影プリント装置１では、落書き感覚の操作によって壁面１８ａの立体形状の変形を行うことができるようになり、操作の娯楽性を向上させることができる。
【００７２】
なお、上記では、ユーザが各柱状部材１８ｂの長手方向ｄの位置を１つずつ設定していく場合について説明したが、予め定められた、つまり「できあい」の立体形状をユーザが選択するようになっていてもよい。そのためには、記憶装置２２（記憶手段）に、各柱状部材１８ｂの長手方向ｄの位置の組合せを複数通り記憶させておく。そのためには、例えば、柱状部材１８ｂ…の位置を（ｘ，ｙ）座標とし、各柱状部材１８ｂの長手方向ｄの位置をｚ座標とした３次元座標として記憶すればよい。この各組合せ（座標情報）は、壁面１８ａの１つの立体形状に対応することになる。これにより、予め設定した壁面１８ａの立体形状を上記座標情報として記憶装置２２に記憶しておくことができるようになる。
【００７３】
そして、制御装置２１は、記憶装置２２に記憶されている座標情報に基づいて撮影画面用ディスプレイ１３の平面表示領域１３ａや３次元表示領域１３ｂに壁面１８ａの立体形状を表示し、ユーザに１つの座標情報を選択させる。撮影画面用入力スイッチ１９は、上記複数通りの組合せから１つの組合せを選択するためのユーザによる入力を背景操作入力として受け付ける。
【００７４】
そして、制御装置２１は、撮影画面用入力スイッチ１９にて受け付けた背景操作入力により選択された座標情報に基づいて、駆動部１８ｃによる各柱状部材１８ｂの長手方向ｄの移動を制御する。
【００７５】
この場合、ユーザは、上記複数通りの座標情報の中から１つの座標情報を選択することによって、容易に、予め設定されている壁面１８ａの立体形状を実現することができるようになる。
【００７６】
なお、写真撮影プリント装置１は、ユーザが各柱状部材１８ｂの長手方向ｄの位置を１つずつ設定していく上記背景操作（マニュアル操作）と、ユーザが予め定められた立体形状を選択する上記背景操作（オート操作）との一方を実行できてもよく、両方を実行できてもよい。両方を実行できる場合には、何れの操作を行うかをユーザに選択させることができる。また、オート操作により形成された壁面１８ａの立体形状を、その後、マニュアル操作によってアレンジできるようにすることもできる。ここでは、写真撮影プリント装置１は、マニュアル操作とオート操作との両方を実行でき、何れの操作を行うかをユーザに選択させるとともに、オート操作を選択した場合には、マニュアル操作によるアレンジも可能であるものとする。
【００７７】
次に、写真撮影プリント装置１における処理の流れ（ゲームの流れ）について図５に基づいて説明する。ユーザが写真撮影プリント装置１を利用する際には、まずコイン投入部１５に所定金額のコインを投入する。課金処理部２３は、所定金額分のコインが投入されたことを確認し（ステップＳ１）、写真撮影プリント装置１によるゲームを開始する。
【００７８】
ゲームが開始されると、まず、背景を決定する処理を行う。この処理では、まず、マニュアル操作又はオート操作、つまり壁面１８ａの立体形状を最初から作成するか、予め設定されたものから選択するかをユーザに選択させる（ステップＳ２）。
【００７９】
ユーザがマニュアル操作を選択した場合には、制御装置２１が撮影画面用ディスプレイ１３に図４のような背景操作情報を表示し、撮影画面用入力スイッチ１９により各柱状部材１８ｂを操作するための入力を受け付ける（ステップＳ３）。このとき、ユーザは、撮影画面用ディスプレイ１３の表示に基づいて各柱状部材１８ｂの長手方向ｄの位置を操作し、壁面１８ａの立体形状を作成する。そして、ユーザにより各柱状部材１８ｂの長手方向ｄの位置が操作されるたびに、つまりリアルタイムで、実際に柱状部材１８ｂを移動させるとともに、撮影画面用ディスプレイ１３の平面表示領域１３ａや３次元表示領域１３ｂにおける壁面１８ａの立体形状の表示を更新し、ユーザに確認させる（ステップＳ４）。したがって、ユーザは壁面１８ａの立体形状を立体的に意識しながら背景操作を進めることができる。このステップＳ３及びＳ４は、背景操作の終了、つまり、ユーザにより背景操作を終了するための「終了」ボタン１３ｉが押されるか、背景操作の制限時間がオーバするまで繰り返される（ステップＳ５）。
【００８０】
ステップＳ２において、ユーザがオート操作を選択した場合には、制御装置２１が撮影画面用ディスプレイ１３に予め設定された壁面１８ａの立体形状の一覧を表示し、撮影画面用入力スイッチ１９によりその選択を受け付ける（ステップＳ６）。そして、選択した壁面１８ａの立体形状に対してアレンジを施すか否かをユーザに選択させ（ステップＳ７）、アレンジを施す場合にはステップＳ３へ、アレンジを施さない場合には、ステップＳ５へ進む。
【００８１】
なお、上記ステップＳ３及びＳ６は、撮影画面用入力スイッチ１９により、各柱状部材１８ｂの長手方向ｄの位置を定めるためのユーザからの入力を受け付ける入力受付ステップであり、上記ステップＳ４は、撮影画面用入力スイッチ１９にて受け付けた入力に基づいて、駆動部１８ｃによる各柱状部材１８ｂの長手方向ｄの移動を制御する移動制御ステップである。
【００８２】
上記ステップＳ２からＳ７により、壁面１８ａの立体形状が決定され、カメラ１１による撮影の背景が決まる。その後、カメラ１１による撮影処理（ステップＳ８）が行われる。撮影処理では、ユーザは、自ら作成又は選択した背景の前でカメラ１１に向かってポーズをとるなどし、撮影画面用ディスプレイ１３に表示されるライブビューを見ながら背景と自分の位置を調節・決定した後、撮影開始ボタンを押す。撮影開始ボタンが押されると、撮影画面用ディスプレイ１３に「５」、「４」、「３」、「２」、「１」とカウントダウンが表示され、写真撮影が行われる。
【００８３】
なお、カメラ１１による撮影の際には、壁面１８ａに直交する方向から撮影するより、壁面１８ａに対して傾斜した方向から撮影した方が、壁面１８ａの立体形状をより強調することができる。また、前面照明装置１２・１２の一方のみを発光させることにより、壁面１８ａの立体形状による陰影をつけて立体形状を強調することもできる。
【００８４】
そして、落書面１４・１４による落書処理（ステップＳ９）が行われる。落書処理では、ユーザは撮影室３から本体２の背面側に移動し、落書面１４・１４に表示された撮影画像に対して、ペン、スタンプ、ブラシなどを用いて絵柄などを書き込んでいく。
【００８５】
そして、シール分割数選択処理（ステップＳ１０）及びプリント処理（ステップＳ１１）が行われる。シール分割数選択処理では、シール紙にプリントする画像の大きさや配置をユーザが決定し、プリントを開始する。プリント開始後、ユーザは、写真シール排出口１６付近の写真シール排出待ち位置に移動し、落書きを施した撮影画像のプリントされた写真シールが排出されてくるのを待つ。写真シールが排出されることで、写真撮影プリント装置１による全ての接客処理が終了する。
【００８６】
次に、上記オート操作においてユーザが選択するための予め定められた立体形状（サンプル形状）の例について説明する。図６及び図７は、それぞれ上記サンプル形状の例を示す図面であり、図６（ａ）から図６（ｃ）、図７（ａ）から図７（ｃ）は、それぞれ図２（ａ）から図２（ｃ）に対応する図面である。
【００８７】
サンプル形状としては、例えば「岩山」、「椅子」、「踏み台」、「津波」、「洞窟」、「パンダ」などの形状や、任意の文字を立体的に表す形状などが考えられる。
【００８８】
図６は、サンプル形状として「踏み台」の形状が選択された場合を示している。この場合、壁面構成部１８の下部に位置する柱状部材１８ｂ…が、初期位置（図６において片側斜線を付した柱状部材１８ｂ…の位置）より突出した形状になり、この突出した柱状部材１８ｂ…（図６において両側斜線を付した柱状部材１８ｂ…）により「踏み台」の形状が表現される。この場合、ユーザは、突出した柱状部材１８ｂ…にて形成された「踏み台」の上に登ったり、座ったり、寝そべったりして撮影を楽しむことができる。このように、柱状部材１８ｂ…はユーザを支える役割をも担うことができる。
【００８９】
図７は、サンプル形状として「洞窟」の形状が選択された場合を示している。この場合、壁面構成部１８の上部及び両端に位置する柱状部材１８ｂ…が、初期位置（図７において片側斜線を付した柱状部材１８ｂ…の位置）より突出した形状になり、この上部において突出した柱状部材１８ｂ…（図７において両側斜線を付した柱状部材１８ｂ…）により「洞窟」の天井部分が表現され、両端において突出した柱状部材１８ｂ…（図７において両側斜線を付した柱状部材１８ｂ…）により「洞窟」の壁が表現される。ユーザは、突出した柱状部材１８ｂ…にて形成された「洞窟」にもたれるなどして撮影を楽しむことができる。このように、柱状部材１８ｂ…はユーザを支える役割をも担うことができる。
【００９０】
さらに、図示しないが、サンプル形状として「パンダ」の形状が選択された場合には、パンダの輪郭部分に相当する柱状部材１８ｂ…が突出するとともに、目の部分や体の特徴部分に相当する柱状部材１８ｂ…が適宜凹凸感を表現するように突出量が調整される。なお、「パンダ」のようにある程度複雑な形状を表現するためには、各柱状部材１８ｂの先端面Ｅの面積を小さくし、柱状部材１８ｂ…の数を多くして形状を表現するための解像度を高くすることが望ましい。
【００９１】
なお、上記では、駆動部１８ｃにより柱状部材１８ｂ…が移動されて長手方向ｄの位置が変更される構成について説明したが、各柱状部材１８ｂは、ユーザによって加えられる外力によって長手方向ｄに移動することで、長手方向ｄの位置が変更可能に設けられていてもよい。この場合、ユーザが各柱状部材１８ｂを直接引き出したり、押し込んだりすることによって柱状部材１８ｂ…の長手方向ｄの位置を変更することができる。
【００９２】
このように、ユーザが各柱状部材１８ｂを直接引き出したり、押し込んだりすることで壁面１８ａの立体形状を変形する場合、直感的な操作で形状を変形することができるので、操作がわかりやすく、かつ、ユーザが実際に壁面１８ａに触れて自らの手で形状を作り上げる達成感を盛り上げることができる。
【００９３】
この場合、背景操作処理中は、撮影画面用ディスプレイ１３に「直接背景を見ながら手で背景を押したり引いたりしてね！そうすれば背景の形を変えられるよ。」などのメッセージを表示してもよい。また、「形状を整える」といったボタンを撮影画面用ディスプレイ１３に表示して、このボタンをユーザが押すことで、ユーザが形成した壁面１８ａの立体形状の凹凸をなだらかにする機能をもたせてもよい。この機能を実現するためには、各柱状部材１８ｂの位置を認識する手段を設けてユーザの設定した各柱状部材１８ｂの位置を制御装置２１で認識するとともに、制御装置２１においてその位置を再設定し、駆動部１８ｃを制御して各柱状部材１８ｂを再設定した位置に移動させればよい。制御装置２１における上記再設定は、例えばグレースケール画像を滑らかにするための一般的な画像処理の手法を適用することができる。
【００９４】
また、上記では、撮影画面用入力スイッチ１９からの入力に基づいて制御装置２１が駆動部１８ｃを制御し、柱状部材１８ｂ…の位置が変更される構成について説明したが、撮影画面用入力スイッチ１９からの入力の代わりに、カメラ１１からの入力に基づいて制御装置２１が駆動部１８ｃを制御することも考えられる。つまり、制御装置２１により、カメラ１１にて撮影した撮影画像データを取得し、そのカラー画像をグレースケール画像データに変換し、このグレースケールの明るさの値に応じて壁面１８ａを凹凸させることが考えられる。例えば、撮影画像データの画素と、柱状部材１８ｂ…とを対応付けておき、画素の明るさの値に比例するように柱状部材１８ｂ…を突出させるようにする。
【００９５】
そのためには、カメラ１１（画像データ生成手段）により、物体を撮影して画像データを生成し、制御装置２１（制御手段）により、上記物体の形状を壁面１８ａに反映すべく、カメラ１１の生成した画像データに基づいて、駆動部１８ｃによる各柱状部材１８ｂの長手方向ｄの移動を制御するように構成すればよい。
【００９６】
これにより、例えばユーザの顔やユーザの持ち込んだぬいぐるみをカメラ１１にて撮影し、撮影したユーザの顔やぬいぐるみの形状を壁面１８ａの立体形状として表現させることができる。したがって、上記サンプル形状にとどまらない様々な形状を容易に壁面１８ａに形成することができる。例えば、口を大きく開けたユーザの顔をカメラ１１にて撮影し、その形状を壁面１８ａの立体形状とし、その前にユーザが立つことで、ユーザがユーザ自身に食べられそうになっているような写真を撮影することもできる。
【００９７】
〔実施形態２〕
本発明の第２の実施形態について図８に基づいて説明すれば、以下の通りである。なお、本実施形態の写真撮影プリント装置１０１は、第１の実施形態における写真撮影プリント装置１の壁面構成部１８の構成が異なっている点以外は、写真撮影プリント装置１と同一の構成である。したがって、ここでは壁面構成部１８の代わりに写真撮影プリント装置１０１に設けられている壁面構成部１１０について説明する。
【００９８】
図８は、壁面構成部１１０の構成を説明するための図面であり、図８（ａ）から図８（ｃ）はそれぞれ実施形態１における図２（ａ）から図２（ｃ）に対応する図面である。なお、図８（ａ）から図８（ｃ）では、実施形態１にて説明した構成要素と同一の構成要素に、同一符号を用いている。
【００９９】
壁面構成部１１０（壁面構成手段）は、壁面１１０ａを構成する第１面Ａを有する面状部材１１１と、この面状部材１１１における第１面Ａとは反対の面、つまり、カメラ１１側とは反対側の面である第２面Ｂに対向し、かつ、前記第２面Ｂとは離間して配置された保持部材１１２とを備えている。
【０１００】
面状部材１１１の第１面Ａを構成する第１層１１１ａは、層方向に伸縮自在、かつ、弾力性を有して伸縮した場合に復元力を生じる素材（例えば、トランポリン（登録商標）に用いられるようなゴム状素材など）からなり、外力によって容易にへこますことができる。
【０１０１】
面状部材１１１の第２面Ｂを構成する第２層１１１ｂは、後述する保持部材１１２の第１層１１２ａと着脱自在の素材（例えば、マジックテープ（登録商標）のフック状テープ又はパイル状テープなど）であり、第１層１１１ａの第１面Ａとは反対側の面に貼り付けられている。なお、第２層１１１ｂも第１層１１１ａとともに伸縮自在になっている。
【０１０２】
これにより、壁面１１０ａにユーザが外力を加えることにより、面状部材１１１を容易にへこますことができ、壁面１１０ａを立体的に変形することができる。
【０１０３】
保持部材１１２は、表面層１１２ａ及び基材１１２ｂを備えている。表面層１１２ａは、上記面状部材１１１の第２層１１１ｂとペアであり、第２層１１１ｂと着脱自在の素材（例えば、マジックテープ（登録商標）のパイル状テープ又はフック状テープなど）である。したがって、表面層１１２ａは、面状部材１１１の第２層１１１ｂが接触することにより、その接触部分において第２層１１１ｂと接合する。
【０１０４】
基材１１２ｂは、ユーザによる外力が加わったとしても容易に変形しない素材（例えば、鉄板など）からなり、撮影室３に固定されている。基材１１２ｂの面状部材１１１側の面には、上記表面層１１２ａが貼り付けられている。したがって、変形した面状部材１１１の第２層１１１ｂが表面層１１２ａに接合した場合、復元力によって面状部材１１１が平面状態に戻ろうとする力に反して基材１１２ｂにより面状部材１１１の変形を保持することができる。
【０１０５】
この壁面構成部１１０では、ユーザが背景としての壁面１１０ａに外力を加えることにより、その外力が加えられた壁面１１０ａの部分が変形して陥没したように見えるとともに、その変形が保持されることになる。したがって、比較的簡単な構成で壁面１１０ａの立体形状の変形を実現することができる。なお、壁面１１０ａの立体形状とは、壁面１１０ａにより立体的に表現される形状を指す。
【０１０６】
また、壁面構成部１１０では、壁面１１０ａを「押す」、「殴る」、「蹴る」といったユーザの動作によっても壁面１１０ａの立体形状の変形が可能になる。これにより、壁面１１０ａの立体形状を変形させるためのユーザによる操作を多様化することができ、娯楽性を向上させることができる。また、ユーザの「殴る」、「蹴る」といった動作を受け止めることができることで、ユーザのストレスを発散させる効果も期待できる。
【０１０７】
なお、一旦接合された面状部材１１１の第２層１１１ｂと保持部材１１２の表面層１１２ａとは、面状部材１１１を手前に引っ張ることによって剥離できるようになっている。また、面状部材１１１と保持部材１１２との間を走査可能な棒状の部材を設け、撮影終了後に、上記棒状の部材を走査させることにより、第２層１１１ｂと表面層１１２ａとの接合を解除し、面状部材１１１をもとの平面状態に自動的に復帰させるようにしてもよい。
【０１０８】
壁面構成部１１０では、もともと平面状態にある壁面１１０ａをへこますことしかできず、実施形態１の壁面構成部１８のように壁面１８ａを突出させることはできず形状の自由度は低下することになるが、背景をよりリアルに「陥没」させるといった新たな形状を実現できる。
【０１０９】
ここでは、壁面構成部１１０を撮影室３の一面のみに設けた構成について説明したが、壁面構成部１１０を他の位置にも設けてもよい。例えば、撮影室３の出入口、機械操作面、照明面、天井面などを除く撮影室３の前面に壁面構成部１１０を設けてもよい。
【０１１０】
以上のように、写真撮影プリント装置１・１０１は、被写体を撮影するカメラ１１と、カメラ１１により被写体を撮影するときの背景となる壁面１８ａ・１１０ａを構成するための壁面構成部１８・１１０とを含んでおり、この壁面構成部１８・１１０は、ユーザの操作に基づいて立体形状が変形し、かつ、変形された立体形状を保持できる壁面１８ａ・１１０ａを有している。
【０１１１】
これにより、ユーザは、撮影前に壁面１８ａ・１１０ａの立体形状を好みの形状に設定しておいて撮影することで、ユーザの設定した立体形状を有する背景を用いて撮影することができる。したがって、立体形状を好みの形状に設定した背景を用いた撮影による、立体感のある背景を有する画像の撮影が可能になる。また、この写真撮影プリント装置１を、プリント倶楽部（登録商標）の名称で知られる装置に用いることにより、撮影前に背景の立体形状を好みの形状に設定するという新たな遊びの形態を提供することができるようになる。その結果、得られる撮影画像の多様性、操作の娯楽性を向上させることができ、ユーザの満足度の向上を図ることができるようになる。
【０１１２】
なお、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１１３】
【発明の効果】
以上のように、本発明の請求項１に記載の写真撮影装置は、壁面構成手段が、ユーザの操作に基づいて立体形状が変形し、かつ、変形された立体形状を保持できる壁面を有する構成である。
【０１１４】
これにより、ユーザは、撮影前に壁面の立体形状を好みの形状に設定しておいて撮影することで、ユーザの設定した立体形状を有する背景を用いて撮影することができる。
【０１１５】
したがって、上記の構成では、立体形状を好みの形状に設定した背景を用いた撮影による、立体感のある背景を有する画像の撮影が可能になる。また、この写真撮影装置を、例えばプリント倶楽部（登録商標）の名称で知られる写真撮影プリント装置に用いることにより、撮影前に背景の立体形状を好みの形状に設定するという新たな遊びの形態を提供することができるようになる。
【０１１６】
その結果、得られる撮影画像の多様性、操作の娯楽性を向上させることができ、ユーザの満足度の向上を図ることができるようになる。
【０１１７】
本発明の請求項２に記載の写真撮影装置は、請求項１に記載の写真撮影装置において、壁面構成手段は、少なくとも先端面が壁面を構成できるように配置され、かつ、長手方向の位置が個別に変更可能に設けられている複数の柱状部材を備えており、各柱状部材の長手方向の位置が個別に変更されることにより、壁面の立体形状の変形が可能である。
【０１１８】
したがって、各柱状部材の先端面により形成される凹凸により壁面の立体形状を形成することができる。これにより、比較的簡単な構成で壁面の立体形状の変形を実現することができる。
【０１１９】
本発明の請求項３に記載の写真撮影装置は、請求項２に記載の写真撮影装置において、各柱状部材は、外力によって移動することで長手方向の位置が変更可能に設けられていてもよい。
【０１２０】
上記の構成では、ユーザが柱状部材を引き出したり、押し込んだりすることによって柱状部材の長手方向の位置を容易に変更することができる。また、上記の構成では、ユーザが実際に壁面に触れて壁面の立体形状を変形することができる。
【０１２１】
本発明の請求項４に記載の写真撮影装置は、請求項２に記載の写真撮影装置において、壁面構成手段は、各柱状部材を長手方向に移動させる移動手段を備え、各柱状部材の長手方向の位置を定めるためのユーザからの入力を受け付ける入力受付手段と、入力受付手段にて受け付けた入力に基づいて、移動手段による各柱状部材の長手方向の移動を制御する制御手段と、を備えていてもよい。
【０１２２】
これにより、柱状部材の長手方向の移動による壁面の立体形状の変形を自動化することができるとともに、落書き感覚の操作によって壁面の立体形状の変形を行うことができるようになり、操作の娯楽性を向上させることができる。
【０１２３】
本発明の請求項５に記載の写真撮影装置は、請求項４に記載の写真撮影装置において、入力受付手段は、各柱状部材の位置又は移動量の入力を受け付け、制御手段は、入力受付手段にて受け付けた入力に基づいて、移動手段による各柱状部材の長手方向の移動を制御してもよい。
【０１２４】
上記の構成では、ユーザが各柱状部材の位置又は移動量を入力することにより、その入力値に応じた壁面の立体形状を実現することができる。
【０１２５】
なお、本発明の請求項１１に記載の写真撮影装置の制御方法は、請求項４又は５に記載の写真撮影装置の制御方法であって、入力受付手段により、各柱状部材の長手方向の位置を定めるためのユーザからの入力を受け付ける入力受付ステップと、制御手段により、入力受付手段にて受け付けた入力に基づいて、移動手段による各柱状部材の長手方向の移動を制御する移動制御ステップと、を含んで構成することができる。
【０１２６】
本発明の請求項６に記載の写真撮影装置は、請求項４に記載の写真撮影装置において、各柱状部材の長手方向の位置の組合せを複数通り記憶する記憶手段を備え、入力受付手段は、複数通りの組合せから１つの組合せを選択するための入力を受け付け、制御手段は、入力受付手段にて受け付けた入力により選択された組合せに基づいて、移動手段による各柱状部材の長手方向の移動を制御してもよい。
【０１２７】
これにより、ユーザは、上記複数通りの組合せの中から１つの組合せを選択することによって、容易に、予め設定されている壁面の立体形状を実現することができる。
【０１２８】
本発明の請求項７に記載の写真撮影装置は、請求項２に記載の写真撮影装置において、壁面構成手段は、各柱状部材を長手方向に移動させる移動手段を備え、物体を撮影して画像データを生成する画像データ生成手段と、物体の形状を壁面に反映すべく、画像データ生成手段の生成した画像データに基づいて、移動手段による各柱状部材の長手方向の移動を制御する制御手段と、を備えていてもよい。
【０１２９】
これにより、例えばユーザの顔やユーザの持ち込んだぬいぐるみなどの形状を壁面に反映させることができるようになり、壁面の多様な形状を形成することができる。
【０１３０】
本発明の請求項８に記載の写真撮影装置は、請求項１に記載の写真撮影装置において、壁面構成手段は、壁面を構成する第１面を有する、立体的に変形可能な面状部材と、面状部材における第１面とは反対の面である第２面に対向し、かつ、第２面とは離間して配置され、第２面が接触することにより当該接触部分において第２面と接合して面状部材の変形を保持可能な保持部材と、を備えていてもよい。
【０１３１】
これにより、比較的簡単な構成で壁面の立体形状の変形を実現することができる。また、上記の構成では、面状部材を殴る、蹴るといったユーザの動作によっても壁面の立体形状の変形が可能になり、壁面の立体形状を変形させるためのユーザによる操作を多様化することができ、娯楽性を向上させることができる。
【０１３２】
本発明の請求項９に記載の写真撮影プリント装置は、請求項１から８の何れか１項に記載の写真撮影装置と、撮影手段にて撮影した撮影画像を含む画像をプリント紙にプリントするプリント手段とを備えることを特徴としている。このように、上記写真撮影装置にプリント手段を備えることによって写真撮影プリント装置を構成することができる。
【０１３３】
本発明の請求項１０に記載のプリント紙ユニットは、請求項９に記載の写真撮影プリント装置に用いられるプリント紙ユニットであって、画像がプリントされるプリント紙と、プリント紙に関する識別情報を記録する識別媒体とを備え、写真撮影プリント装置に備えられた識別情報読み取り手段によって、識別媒体に記録されている識別情報が読み取られ、その内容が確認された上でプリント手段によりプリント紙に画像がプリントされることを特徴としている。
【０１３４】
上記の構成によれば、写真撮影プリント装置において指定されているプリント紙以外は使用できないように設定することが可能となる。また、識別情報に用紙枚数情報を含ませることによって、プリント紙を使用するごとに用紙枚数をカウントダウンすることにより、残りの用紙枚数を把握することが可能となる。さらに、識別情報に用紙種類情報を含ませることによって、これらを考慮して画像データの色成分などを補正することにより、その用紙やインクフィルムに的確な画像出力を行うことが可能となる。
【図面の簡単な説明】
【図１】本発明の第１の実施形態における写真撮影プリント装置の外観を示す図面であり、（ａ）は写真撮影プリント装置を上方からみた図面、（ｂ）は写真撮影プリント装置の背面を示す図面、（ｃ）は写真撮影プリント装置の側面を示す図面、（ｄ）は写真撮影プリント装置の撮影室内の正面を示す図面である。
【図２】図１の写真撮影プリント装置における壁面構成部の機能を説明するための図面であり、（ａ）及び（ｂ）は図１（ａ）及び図１（ｃ）にそれぞれ対応する図面であって、（ｃ）はカメラからみた撮影室を示す図面である。
【図３】図１の写真撮影プリント装置における制御系のブロック構成を示すブロック図である。
【図４】図１の写真撮影プリント装置における撮影画面用ディスプレイで、背景操作情報を表示しているときの表示内容を示す図面である。
【図５】図１の写真撮影プリント装置における処理の流れ（ゲームの流れ）を示すフローチャートである。
【図６】図１の写真撮影プリント装置に予め設定されている壁面のサンプル形状の例を示す図面であり、（ａ）から（ｃ）はそれぞれ図２（ａ）から図２（ｃ）に対応する図面である。
【図７】図１の写真撮影プリント装置に予め設定されている壁面のサンプル形状の他の例を示す図面であり、（ａ）から（ｃ）はそれぞれ図２（ａ）から図２（ｃ）に対応する図面である。
【図８】本発明の第２の実施形態における写真撮影プリント装置の外観を示す図面であり、（ａ）から（ｃ）はそれぞれ図２（ａ）から図２（ｃ）に対応する図面である。
【符号の説明】
１　　　写真撮影プリント装置
２　　　本体
３　　　撮影室
１１　　　カメラ（撮影手段）
１２　　　前面照明装置
１３　　　撮影画面用ディスプレイ
１４　　　落書面
１５　　　コイン投入部
１６　　　写真シール排出口
１７　　　幕
１８　　　壁面構成部（壁面構成手段）
１８ａ　　壁面
１８ｂ　　柱状部材
１８ｃ　　駆動部（移動手段）
１９　　　撮影画面用入力スイッチ（入力受付手段）
２１　　　制御装置（制御手段）
２２　　　記憶装置（記憶手段）
２３　　　課金処理部
２４　　　電源装置
２５　　　ＩＤタグリーダ／ライタ（識別情報読み取り手段）
２６　　　ＩＤタグ（識別媒体）
２７　　　プリンタ（プリント手段）
Ｓ　　　シール紙（プリント紙）
１０１　　　写真撮影プリント装置
１１０　　　壁面構成部（壁面構成手段）
【図１】
2004061885.tif 000003
【図２】
2004061885.tif 000004
【図３】
2004061885.tif 000005
【図４】
2004061885.tif 000006
【図５】
2004061885.tif 000007
【図６】
2004061885.tif 000008
【図７】
2004061885.tif 000009
【図８】
2004061885.tif 000010